(57)【要約】【課題】地域情報による種々のサービスをユーザに提供することを可能にする画像データ処理システムおよびその画像データ処理方法、画像入力装置、地域情報処理装置を提供する。【解決手段】複合機は原稿をスキャンし、入力したスキャンデータ、スキャンデータに対する属性情報、課金情報を複合機制御装置に転送する。複合機制御装置は地域情報を属性情報に含めてスキャンデータに付加し、スキャンデータおよび課金情報をスキャンデータ管理サーバに転送する。スキャンデータ管理サーバはスキャンデータおよび地域情報を地域情報加工処理サーバに転送し、地域情報加工処理サーバはスキャンデータに対して地域情報を用いた加工処理を行い、スキャンデータ管理サーバは地域情報を用いた加工済みのスキャンデータを保管する。【選択図】図１
2006094178.tif 000002
【特許請求の範囲】
【請求項１】
原稿を読み取って画像データを入力する画像データ入力装置と、該画像入力装置で入力した画像データの管理を行う画像データ管理装置と、地域情報処理装置とネットワークを介して接続する画像データ処理システムにおいて、
前記画像データ入力装置は、
前記原稿を読み取って前記画像データを入力する画像データ入力手段と、
前記画像データ入力手段で入力した画像データに対する属性情報を受け付ける属性情報受付手段と、
前記属性情報受付手段で受け付けた属性情報と、予め記憶している地域情報とを前記画像データに付加する情報付加手段と、
前記情報付加手段で前記属性情報と前記地域情報とを付加した画像データを画像データ管理装置に転送する転送手段と
を具備し、
前記画像データ管理装置は、
前記画像入力装置から転送された画像データに付加された属性情報から、該画像データに対する処理を判別する属性情報判別手段と、
前記画像データに対する前記地域情報を用いた処理を前記地域情報処理装置に依頼する地域情報処理依頼手段と、
を具備し、
前記地域情報処理装置は、
前記画像データ管理装置から依頼された画像データに対する前記地域情報を用いた処理を行う地域情報処理手段
を具備することを特徴とする画像データ処理システム。
【請求項２】
前記地域情報処理手段は、
前記画像データに前記地域情報を表す文字列を合成する
ことを特徴とする請求項１記載の画像データ処理システム。
【請求項３】
前記地域情報処理手段は、
前記画像データのファイル名若しくはファイル属性に前記地域情報を表す文字列を付加する
ことを特徴とする請求項１記載の画像データ処理システム。
【請求項４】
前記画像データ管理装置は、
前記地域情報処理装置で前記地域情報を用いた処理を行った地域情報処理済みの画像データを保管し、
前記ネットワーク上の端末または画像データ出力装置に前記地域情報処理済みの画像データを転送する
ことを特徴とする請求項１記載の画像データ処理システム。
【請求項５】
前記地域情報処理装置は、
前記画像データに対する前記地域情報を用いた処理に必要な価格情報を更に具備し、前記画像データ管理装置に対して前記価格情報を提供し、
前記画像データ管理装置は、
前記地域情報処理装置から提供された価格情報に基づく価格テーブルを更に具備し、該価格テーブルを前記画像データ入力装置に提供し、
前記画像データ入力装置は、
前記画像データ管理装置から提供された価格テーブルと、前記属性情報受付手段で受け付けた属性情報とに基づき、前記画像データ入力手段による前記画像データの入力に必要な課金情報を作成する
ことを特徴とする請求項１記載の画像データ処理システム。
【請求項６】
画像データの管理を行う画像データ管理装置と、地域情報処理装置とネットワークを介して接続する画像データ入力装置において、
原稿を読み取って前記画像データを入力する画像データ入力手段と、
前記画像データ入力手段で入力した画像データに対する属性情報を受け付ける属性情報受付手段と、
前記属性情報受付手段で受け付けた属性情報と、予め記憶している地域情報とを前記画像データに付加する情報付加手段と、
前記情報付加手段で前記属性情報と前記地域情報とを付加した画像データを画像データ管理装置に転送する転送手段と
を具備し、
前記画像データ管理装置は、
前記画像入力装置から転送された画像データに付加された属性情報から、該画像データに対する処理を判別し、前記画像データに対する前記地域情報を用いた処理を前記地域情報処理装置に依頼し、
前記地域情報処理装置は、
前記画像データ管理装置から依頼された画像データに対する前記地域情報を用いた処理を行う
ことを特徴とする画像データ入力装置。
【請求項７】
前記画像データ管理装置から提供された、前記地域情報処理装置が具備する前記地域情報を用いた処理に必要な価格情報に基づく価格テーブルと、前記属性情報受付手段で受け付けた属性情報とに基づき、前記画像データ入力手段による前記画像データの入力に必要な課金情報を作成する
ことを特徴とする請求項５記載の画像データ入力装置。
【請求項８】
原稿を読み取って画像データを入力する画像データ入力装置と、該画像入力装置で入力した画像データの管理を行う画像データ管理装置とネットワークを介して接続する地域情報処理装置において、
前記画像データ管理装置から依頼された前記画像データ入力装置で入力された画像データに対して、該画像データに付加された地域情報を用いた処理を行う地域情報処理手段
を具備することを特徴とする地域情報処理装置。
【請求項９】
前記地域情報処理手段は、
前記画像データに前記地域情報を表す文字列を合成する
ことを特徴とする請求項８記載の地域情報処理装置。
【請求項１０】
前記地域情報処理手段は、
前記画像データのファイル名若しくはファイル属性に前記地域情報を表す文字列を付加する
ことを特徴とする請求項８記載の地域情報処理装置。
【請求項１１】
前記画像データに対する前記地域情報を用いた処理に必要な価格情報
を更に具備し、
前記画像データ管理装置に対して前記価格情報を提供し、
前記画像データ管理装置は、
前記地域情報処理装置から提供された価格情報に基づく価格テーブルを前記画像データ入力装置に提供し、
前記画像データ入力装置は、
前記画像データ管理装置から提供された価格テーブルに基づき、前記画像データの入力に必要な課金情報を作成する
ことを特徴とする請求項８記載の地域情報処理装置。
【請求項１２】
原稿を読み取って画像データを入力する画像データ入力装置と、該画像入力装置で入力した画像データの管理を行う画像データ管理装置と、地域情報処理装置とネットワークを介して接続する画像データ処理システムの画像データ処理方法において、
前記画像データ入力装置は、
前記原稿を読み取って前記画像データを画像データ入力手段により入力し、
該入力した画像データに対する属性情報を属性情報受付手段により受け付け、
該受け付けた属性情報と、予め記憶している地域情報とを前記画像データに情報付加手段により付加し、
前記属性情報と前記地域情報とを付加した画像データを画像データ管理装置に転送し、
前記画像データ管理装置は、
前記画像入力装置から転送された画像データに対する前記地域情報を用いた処理を前記地域情報処理装置に地域情報処理依頼手段により依頼し、
前記地域情報処理装置は、
前記画像データ管理装置から依頼された画像データに対する前記地域情報を用いた処理を地域情報処理手段により行う
ことを特徴とする画像データ処理システムの画像データ処理方法。
【請求項１３】
前記地域情報処理手段は、
前記画像データに前記地域情報を表す文字列を合成する
ことを特徴とする請求項１２記載の画像データ処理システムの画像データ処理方法。
【請求項１４】
前記地域情報処理手段は、
前記画像データのファイル名若しくはファイル属性に前記地域情報を表す文字列を付加する
ことを特徴とする請求項１２記載の画像データ処理システムの画像データ処理方法。
【請求項１５】
前記画像データ管理装置は、
前記地域情報処理装置で前記地域情報を用いた処理を行った地域情報処理済みの画像データを保管し、
前記ネットワーク上の端末または画像データ出力装置に前記地域情報処理済みの画像データを転送する
ことを特徴とする請求項１２記載の画像データ処理システムの画像データ処理方法。
【請求項１６】
前記地域情報処理装置は、
前記画像データに対する前記地域情報を用いた処理に必要な価格情報を前記画像データ管理装置に対して提供し、
前記画像データ管理装置は、
前記地域情報処理装置から提供された価格情報に基づく価格テーブルを前記画像データ入力装置に提供し、
前記画像データ入力装置は、
前記画像データ管理装置から提供された価格テーブルと、前記属性情報とに基づき、前記画像データの入力に必要な課金情報を作成する
ことを特徴とする請求項１２記載の画像データ処理システムの画像データ処理方法。
【発明の詳細な説明】
【技術分野】
【０００１】
本発明は、画像データ処理システムおよびその画像データ処理方法、画像入力装置、地域情報処理装置に関し、特に、原稿スキャンにより入力したデジタル画像データをネットワーク上に一時格納する画像データ処理システムおよびその画像データ処理方法、画像入力装置、地域情報処理装置に関する。
【背景技術】
【０００２】
近年、多くの機能を搭載した複写機、プリンタ等の画像処理装置が広く用いられ、このような画像処理装置をコンビニエンスストア、コピーセンター等の店舗に設置し、ユーザに対して画像処理装置が搭載するコピー機能、ＦＡＸ機能、プリント機能、スキャン機能等のサービスを提供し、ユーザは提供したサービスに応じた料金を店舗に支払うというシステムが普及している。
【０００３】
例えば、コンビニエンスストア等の近辺の地図情報や周辺施設等の情報をコンビニエンスストア等に設置された複写機から得ることができるネットワークシステムがある（例えば、特許文献１参照。）。
【０００４】
また、例えば、位置情報確認機能を備えた携帯端末により最寄の複写装置を検索し、その検索された複写装置を印刷先として指定するネットワークシステムがある（例えば、特許文献２参照。）。
【特許文献１】特開２０００−７８３２８号公報
【特許文献２】特開２００２−１４０２５５号公報
【発明の開示】
【発明が解決しようとする課題】
【０００５】
しかし、特許文献１に記載の技術では、地域情報は地図情報、周辺情報を出力するためにしか使用されておらず、特許文献２に記載の技術では、地域情報は複写装置を検索するためにしか使用されていない。
【０００６】
そこで、本発明は、地域情報による種々のサービスをユーザに提供することを可能にする画像データ処理システムおよびその画像データ処理方法、画像入力装置、地域情報処理装置を提供することを目的とする。
【課題を解決するための手段】
【０００７】
上記目的を達成するため、請求項１の発明は、原稿を読み取って画像データを入力する画像データ入力装置と、該画像入力装置で入力した画像データの管理を行う画像データ管理装置と、地域情報処理装置とネットワークを介して接続する画像データ処理システムにおいて、前記画像データ入力装置は、前記原稿を読み取って前記画像データを入力する画像データ入力手段と、前記画像データ入力手段で入力した画像データに対する属性情報を受け付ける属性情報受付手段と、前記属性情報受付手段で受け付けた属性情報と、予め記憶している地域情報とを前記画像データに付加する情報付加手段と、前記情報付加手段で前記属性情報と前記地域情報とを付加した画像データを画像データ管理装置に転送する転送手段とを具備し、前記画像データ管理装置は、前記画像入力装置から転送された画像データに付加された属性情報から、該画像データに対する処理を判別する属性情報判別手段と、前記画像データに対する前記地域情報を用いた処理を前記地域情報処理装置に依頼する地域情報処理依頼手段と、を具備し、前記地域情報処理装置は、前記画像データ管理装置から依頼された画像データに対する前記地域情報を用いた処理を行う地域情報処理手段を具備することを特徴とする。
【０００８】
また、請求項２の発明は、請求項１の発明において、前記地域情報処理手段は、前記画像データに前記地域情報を表す文字列を合成することを特徴とする。
【０００９】
また、請求項３の発明は、請求項１の発明において、前記地域情報処理手段は、前記画像データのファイル名若しくはファイル属性に前記地域情報を表す文字列を付加することを特徴とする。
【００１０】
また、請求項４の発明は、請求項１の発明において、前記画像データ管理装置は、前記地域情報処理装置で前記地域情報を用いた処理を行った地域情報処理済みの画像データを保管し、前記ネットワーク上の端末または画像データ出力装置に前記地域情報処理済みの画像データを転送することを特徴とする。
【００１１】
また、請求項５の発明は、請求項１の発明において、前記地域情報処理装置は、前記画像データに対する前記地域情報を用いた処理に必要な価格情報を更に具備し、前記画像データ管理装置に対して前記価格情報を提供し、前記画像データ管理装置は、前記地域情報処理装置から提供された価格情報に基づく価格テーブルを更に具備し、該価格テーブルを前記画像データ入力装置に提供し、前記画像データ入力装置は、前記画像データ管理装置から提供された価格テーブルと、前記属性情報受付手段で受け付けた属性情報とに基づき、前記画像データ入力手段による前記画像データの入力に必要な課金情報を作成することを特徴とする。
【００１２】
また、請求項６の発明は、画像データの管理を行う画像データ管理装置と、地域情報処理装置とネットワークを介して接続する画像データ入力装置において、原稿を読み取って前記画像データを入力する画像データ入力手段と、前記画像データ入力手段で入力した画像データに対する属性情報を受け付ける属性情報受付手段と、前記属性情報受付手段で受け付けた属性情報と、予め記憶している地域情報とを前記画像データに付加する情報付加手段と、前記情報付加手段で前記属性情報と前記地域情報とを付加した画像データを画像データ管理装置に転送する転送手段とを具備し、前記画像データ管理装置は、前記画像入力装置から転送された画像データに付加された属性情報から、該画像データに対する処理を判別し、前記画像データに対する前記地域情報を用いた処理を前記地域情報処理装置に依頼し、前記地域情報処理装置は、前記画像データ管理装置から依頼された画像データに対する前記地域情報を用いた処理を行うことを特徴とする。
【００１３】
また、請求項７の発明は、請求項５の発明において、前記画像データ管理装置から提供された、前記地域情報処理装置が具備する前記地域情報を用いた処理に必要な価格情報に基づく価格テーブルと、前記属性情報受付手段で受け付けた属性情報とに基づき、前記画像データ入力手段による前記画像データの入力に必要な課金情報を作成することを特徴とする。
【００１４】
また、請求項８の発明は、原稿を読み取って画像データを入力する画像データ入力装置と、該画像入力装置で入力した画像データの管理を行う画像データ管理装置とネットワークを介して接続する地域情報処理装置において、前記画像データ管理装置から依頼された前記画像データ入力装置で入力された画像データに対して、該画像データに付加された地域情報を用いた処理を行う地域情報処理手段を具備することを特徴とする。
【００１５】
また、請求項９の発明は、請求項８の発明において、前記地域情報処理手段は、前記画像データに前記地域情報を表す文字列を合成することを特徴とする。
【００１６】
また、請求項１０の発明は、請求項８の発明において、前記地域情報処理手段は、前記画像データのファイル名若しくはファイル属性に前記地域情報を表す文字列を付加することを特徴とする。
【００１７】
また、請求項１１の発明は、請求項８の発明において、前記画像データに対する前記地域情報を用いた処理に必要な価格情報を更に具備し、前記画像データ管理装置に対して前記価格情報を提供し、前記画像データ管理装置は、前記地域情報処理装置から提供された価格情報に基づく価格テーブルを前記画像データ入力装置に提供し、前記画像データ入力装置は、前記画像データ管理装置から提供された価格テーブルに基づき、前記画像データの入力に必要な課金情報を作成することを特徴とする。
【００１８】
また、請求項１２の発明は、原稿を読み取って画像データを入力する画像データ入力装置と、該画像入力装置で入力した画像データの管理を行う画像データ管理装置と、地域情報処理装置とネットワークを介して接続する画像データ処理システムの画像データ処理方法において、前記画像データ入力装置は、前記原稿を読み取って前記画像データを画像データ入力手段により入力し、該入力した画像データに対する属性情報を属性情報受付手段により受け付け、該受け付けた属性情報と、予め記憶している地域情報とを前記画像データに情報付加手段により付加し、前記属性情報と前記地域情報とを付加した画像データを画像データ管理装置に転送し、前記画像データ管理装置は、前記画像入力装置から転送された画像データに対する前記地域情報を用いた処理を前記地域情報処理装置に地域情報処理依頼手段により依頼し、前記地域情報処理装置は、前記画像データ管理装置から依頼された画像データに対する前記地域情報を用いた処理を地域情報処理手段により行うことを特徴とする。
【００１９】
また、請求項１３の発明は、請求項１２の発明において、前記地域情報処理手段は、前記画像データに前記地域情報を表す文字列を合成することを特徴とする。
【００２０】
また、請求項１４の発明は、請求項１２の発明において、前記地域情報処理手段は、前記画像データのファイル名若しくはファイル属性に前記地域情報を表す文字列を付加することを特徴とする。
【００２１】
また、請求項１５の発明は、請求項１２の発明において、前記画像データ管理装置は、前記地域情報処理装置で前記地域情報を用いた処理を行った地域情報処理済みの画像データを保管し、前記ネットワーク上の端末または画像データ出力装置に前記地域情報処理済みの画像データを転送することを特徴とする。
【００２２】
また、請求項１６の発明は、請求項１２の発明において、前記地域情報処理装置は、前記画像データに対する前記地域情報を用いた処理に必要な価格情報を前記画像データ管理装置に対して提供し、前記画像データ管理装置は、前記地域情報処理装置から提供された価格情報に基づく価格テーブルを前記画像データ入力装置に提供し、前記画像データ入力装置は、前記画像データ管理装置から提供された価格テーブルと、前記属性情報とに基づき、前記画像データの入力に必要な課金情報を作成することを特徴とする。
【発明の効果】
【００２３】
本発明によれば、地域情報をスキャン画像に付加することにより、ユーザに使い勝手の良いスキャン画像を提供することが可能になるとともに、地域情報による種々のサービスをユーザに提供するとことが可能になるという効果を奏する。
【発明を実施するための最良の形態】
【００２４】
以下、本発明に係るの実施の形態について添付図面を参照して詳細に説明する。
【００２５】
図１は、本発明を適用したスキャンデータ処理システム１の構成の一例を示す図である。
【００２６】
コンビニエンスストア、コピーセンター等の店舗２に設置されたコピー、プリント、スキャンおよびＦＡＸ等の複数の機能を有する複合機３には、複合機３が提供するサービスを利用するために必要な料金を受け入れる課金装置４、および複合機３の制御処理を行う複合機制御装置５が接続され、他の店舗２に設置された複合機３についても同様である。
【００２７】
複合機制御装置５はＬＡＮ等の第１のネットワーク６に接続し、第１のネットワーク６には、複合機３がスキャンして入力したスキャンデータの管理を行うスキャンデータ管理サーバ７が接続され、地域情報を用いた加工処理（例えば、スキャンデータに地域情報を表す文字列の合成、スキャンデータのファイル名またはファイル属性への地域情報を表す文字列の付加等）を行う地域情報加工処理サーバ８が接続され、スキャンデータに対して画像処理等の加工を行う加工処理サーバ９が複数接続されている。
【００２８】
ここで、地域情報とは、複合機３が設置されている店舗２の場所を示す情報（例えば、ＡＢＣコンビニエンスストアのＣＤＥ店）、複合機３が設置されている店舗２が属している行政区域を示す情報（例えば、ＦＧＨ市、ＩＪＫ区）等である。
【００２９】
第１のネットワーク６はインターネット等の第２のネットワーク１０に接続し、第２のネットワーク１０には有線、無線を問わず複数のＰＣ１１（Personal Computer）、複数の携帯電話等の携帯端末１２が接続されている。
【００３０】
図２は、スキャンデータ処理システムを構成する各装置におけるスキャンデータの管理について説明する図である。
【００３１】
複合機３は、スキャナ１３により原稿をスキャンし、スキャンにより入力したスキャンデータ１４、スキャンデータ１４に対する属性情報１５（例えば、原稿のサイズ、枚数、色、保管期間、加工処理、結果通知先、結果通知方法等）、スキャンに必要な課金情報１６を複合機制御装置５に転送する。
【００３２】
複合機制御装置５は、スキャンデータ１４に属性情報１５を付加するとともに、予め記憶している地域情報１７も属性情報１５に含めてスキャンデータ１４に付加し、地域情報１７を含む属性情報１５が付加されたスキャンデータ１４および課金情報１６をスキャンデータ管理サーバ７に転送する。なお、複合機３が複合機制御装置５を内蔵する構成も適用可能である。なお、地域情報１７は予め複合機制御装置５に記憶しているものを利用する必要は無く、複数記憶されているものから選択して利用することも出来るし、属性情報１５のようにユーザが自由に入力したものを利用することがもできる。
【００３３】
スキャンデータ管理サーバ７は、地域情報１７を含む属性情報１５が付加されたスキャンデータ１４および課金情報１６を保管する。
【００３４】
更に、スキャンデータ管理サーバ７は、スキャンデータ１４および地域情報１７を地域情報加工処理サーバ８に転送し、地域情報加工処理サーバ８から転送された地域情報１７を用いた加工済みのスキャンデータ１８を保管する。更に、スキャンデータ管理サーバ７は、スキャンデータ１４に付加された属性情報１５に基づいて加工処理を判別し、判別した加工処理を実行する加工処理サーバ９にスキャンデータ１４を転送し、加工処理サーバ９から転送された加工済みのスキャンデータ１８を保管する。つまり、スキャンデータ管理サーバ７には加工前のスキャンデータ１４と加工済みのスキャンデータ１８とが保管されることになる。
【００３５】
更に、スキャンデータ管理サーバ７は、各加工処理サーバ９が管理している各加工に必要なサービス価格１９、および地域情報加工処理サーバ８が管理している地域情報１７を用いた加工処理に必要なサービス価格１９を逐次収集することで価格テーブル２０の更新を管理している。なお、複合機３はこの価格テーブル２０に基づいて課金情報１６を作成している。
【００３６】
加工処理サーバ９が行う加工処理として、保管先、出力先または転送先に応じた解像度、圧縮比率等の変更、回転、トリミング、カラープロファイルの変更、結合（画像、文書）、携帯電話用壁紙生成、ＯＣＲ（Optical Character Reader）、翻訳等である。なお、携帯電話用壁紙生成の加工処理を行う加工処理サーバ９が加工後に携帯電話に加工済みのスキャンデータの保管場所のＵＲＬ（Uniform Resource Locator）を通知する構成、携帯電話の機種毎に異なる解像度への加工を行う構成も適用可能である。
【００３７】
次に、スキャンデータ処理システムにおいて、複合機でスキャンしたスキャンデータをスキャンデータ管理サーバに保管するまでの処理手順について図３のフローチャートを参照して説明する。
【００３８】
複合機は、スキャン指示を受け付け（ステップＳ３０１）、スキャンデータに対する属性情報を受け付ける（ステップＳ３０２）。
【００３９】
スキャンデータ管理サーバは、価格テーブルを複合機に提供する（ステップＳ３０３）。
【００４０】
複合機は、価格テーブルと属性情報とに基づいて課金情報を作成し（ステップＳ３０４）、作成した課金情報を操作パネル等に表示する（ステップＳ３０５）。
【００４１】
課金装置は、料金の支払いを受け入れる（ステップＳ３０６）。
【００４２】
複合機は、スキャンを実行し（ステップＳ３０７）、スキャンして入力したスキャンデータ、属性情報および課金情報を複合機制御装置に転送する（ステップＳ３０８）。
【００４３】
複合機制御装置は、スキャンデータに属性情報と予め記憶している記憶情報とを付加し（ステップＳ３０９）、属性情報と記憶情報とが付加されたスキャンデータ、および課金情報をスキャンデータ管理サーバに転送する（ステップＳ３１０）。
【００４４】
スキャンデータ管理サーバは、属性情報と地域情報とが付加されたスキャンデータ、および課金情報を保管し（ステップＳ３１１）、属性情報から加工処理を判別し（ステップＳ３１２）、スキャンデータおよび地域情報を地域情報加工処理サーバに転送する（ステップＳ３１３）。
【００４５】
地域情報加工処理サーバは、スキャンデータに対して地域情報を用いた加工処理を行い（ステップＳ３１４）、加工済みのスキャンデータをスキャンデータ管理サーバに転送する（ステップＳ３１５）。
【００４６】
スキャンデータ管理サーバは、判別した加工処理を行う加工処理サーバにスキャンデータを転送する（ステップＳ３１６）。
【００４７】
加工処理サーバは、スキャンデータの加工処理を行い（ステップＳ３１７）、加工済みのスキャンデータをスキャンデータ管理サーバに転送する（ステップＳ３１８）。
【００４８】
スキャンデータ管理サーバは、加工済みスキャンデータを保管する（ステップＳ３１６）。
【００４９】
ここで、加工済みスキャンデータの保管後に、スキャンデータ管理サーバが属性情報から結果通知先、結果通知方法を抽出した場合、加工済みスキャンデータの保管場所（例えば、ＵＲＬ等）の通知を行う。
【００５０】
その後、ユーザが店舗に設置された複合機（なお、この複合機は以前に原稿をスキャンした複合機でも良いし、他の店舗に設置された複合機でも良い）によりスキャンデータ管理サーバからスキャンデータをダウンロードして出力する。また、ＰＣ若しくは携帯端末によりスキャンデータ管理サーバからスキャンデータをダウンロードする。
【００５１】
次に、本発明を適用したスキャンデータ処理システムの具体的な利用方法について説明する。
【００５２】
図４は、本発明を適用したスキャンデータ処理システムの具体的な利用方法について説明する図である。
【００５３】
Ａ駅の周辺、Ｂ駅の周辺およびＣ駅の周辺でカラー画像の記入を含むアンケートを行い、各場所で収集したアンケートを各場所の最寄の店舗に設置された複合機でスキャンし、そのスキャンデータを地域情報加工処理サーバで地域情報を用いた加工処理を行い、ネットワークに接続する集計装置に全スキャンデータを集計するという利用方法がある。
【００５４】
Ａ駅の周辺で収集したアンケートをＡ駅の周辺の店舗に設置された複合機でスキャンすることで、そのスキャンデータにはＡ駅の周辺を表す文字列が合成され、Ｂ駅の周辺で収集したアンケートをＢ駅の周辺の店舗に設置された複合機でスキャンすることで、そのスキャンデータにはＢ駅の周辺を表す文字列が合成され、Ｃ駅の周辺で収集したアンケートをＣ駅の周辺の店舗に設置された複合機でスキャンすることで、そのスキャンデータにはＣ駅の周辺を表す文字列が合成される。
【００５５】
従って、集計装置で出力される全てのアンケートには収集場所が印字されることで、例え、全てのアンケートが混在したとしても、アンケートに印字された収集場所を確認することで、どの場所で収集したものか容易に判断でき、膨大なアンケートの収集を容易にするとともに、収集場所を要素としたアンケート解析に大きな役割を果たすことになる。また複合機でスキャンすることで、高精度のカラー画像を収集できる。
【００５６】
図５は、本発明を適用したスキャンデータ処理システムの具体的な利用方法について説明する図である。
【００５７】
商品購入を希望する顧客が手書きで注文書を作成し、その注文書を顧客の最寄の店舗に設置された複合機でスキャンし、そのスキャンデータを地域情報加工処理サーバで地域情報を用いた加工処理を行い、ネットワークに接続する商品配送センターサーバにスキャンデータを転送するという利用方法がある。
【００５８】
このような利用方法の場合、配送場所に優先度を設け、商品配送センターから遠隔地若しくは配送頻度が低い場所には高い優先度を設定し、優先度が高い順に注文書を処理した方が効率が良くなる。
【００５９】
例えば、図５に示すように、商品配送センターから比較的近い場所であるＡ市を表す文字列が合成された注文書のスキャンデータを受け付けた後、Ａ市よりは遠隔地であるＢ市を表す文字列が合成された注文書のスキャンデータを受け付けた場合には、Ｂ市を表す文字列が合成された注文書を処理した方が効率が良い。更に、Ｂ市よりも遠隔地であるＣ市を表す文字列が合成された注文書のスキャンデータを受け付けた場合には、Ｃ市を表す文字列が合成された注文書を処理した方が効率が良い。
【００６０】
また、地域情報が表す範囲を狭くすることで、例えば、場所Ｄは場所Ｅよりも商品配送センターから近いものの、場所Ｄの周辺の道路状況は常に渋滞が発生しているため、場所Ｄに高い優先度を設定することができる。これは、ＦＡＸでの発信者番号通知で印字される市外局番では範囲が広すぎるため実現するのは困難である。
【００６１】
なお、ユーザが商品配達地と離れた店舗で注文書をスキャンする場合は、地域情報を手動で入力することで問題を回避することができる。
【図面の簡単な説明】
【００６２】
【図１】本発明を適用したスキャンデータ処理システム１の構成の一例を示す図である。
【図２】スキャンデータ処理システムを構成する各装置におけるスキャンデータの管理について説明する図である。
【図３】スキャンデータ処理システムにおいて、複合機でスキャンしたスキャンデータをスキャンデータ管理サーバに保管するまでの処理手順を示すフローチャートである。
【図４】本発明を適用したスキャンデータ処理システムの具体的な利用方法について説明する図である。
【図５】本発明を適用したスキャンデータ処理システムの具体的な利用方法について説明する図である。
【符号の説明】
【００６３】
１    スキャンデータ処理システム
２    店舗
３    複合機
４    課金装置
５    複合機制御装置
６    第１のネットワーク
７    スキャンデータ管理サーバ
８    地域情報加工処理サーバ
９    加工処理サーバ
１０    第２のネットワーク
１１    ＰＣ
１２    携帯端末
１３    スキャナ
１４    課金装置
１５    属性情報
１６    課金情報
１７    地域情報
１８    加工済みスキャンデータ
１９    サービス価格
２０    価格テーブル
【図１】
2006094178.tif 000003
【図２】
2006094178.tif 000004
【図３】
2006094178.tif 000005
【図４】
2006094178.tif 000006
【図５】
2006094178.tif 000007